(57)【要約】【課題】  本発明は床スラブの加工が容易で、強度の低下を防止でき、階下の室内空間を圧迫することなく床下収納を設置することができる集合住宅を得るにある。【解決手段】  バルコニーやベランダを設けた集合住宅において、バルコニーやベランダの出入口部の梁と接続され、該梁の室内側に床下収納凹部が形成された床躯体と、この床躯体の床下収納凹部の上部開口部を覆う開閉蓋あるいは、該床下収納凹部内に収納された開閉蓋を備えた床下収納庫とで集合住宅を構成している。【選択図】  図１
2013019234.tif 000002
【特許請求の範囲】
【請求項１】
バルコニーやベランダを設けた集合住宅において、バルコニーやベランダの出入口部の梁と接続され、該梁の室内側に床下収納凹部が形成された床躯体と、この床躯体の床下収納凹部の上部開口部を覆う開閉蓋あるいは、該床下収納凹部内に収納された開閉蓋を備えた床下収納庫とからなることを特徴とする集合住宅。
【請求項２】
床躯体の床下収納凹部は梁と接続される端部がアングル状に形成して形成されていることを特徴とする請求項１記載の集合住宅。
【発明の詳細な説明】
【技術分野】
【０００１】
本発明はバルコニーやベランダを設置した集合住宅に関する。
【背景技術】
【０００２】
従来、集合住宅に設けられる床下収納装置は流し台キャビネットや洗面台キャビネット等の家具が設置される部位の床スラブに床下収納凹部を形成している。
このため、床下収納凹部を形成するため、床スラブの加工が大変で、コスト高になるとともに、階下の室内空間を圧迫してしまうという欠点があるとともに、床スラブの強度が低下するという欠点があった。
【先行技術文献】
【特許文献】
【０００３】
【特許文献１】特開平１１−１３１７８６号公報
【特許文献２】特開２００３−１０５９６３号公報
【発明の概要】
【発明が解決しようとする課題】
【０００４】
本発明は以上のような従来の欠点に鑑み、床スラブの加工が容易で、強度の低下を防止でき、階下の室内空間を圧迫することなく床下収納を設置することができる集合住宅を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はバルコニーやベランダを設けた集合住宅において、バルコニーやベランダの出入口部の梁と接続され、該梁の室内側に床下収納凹部が形成された床躯体と、この床躯体の床下収納凹部の上部開口部を覆う開閉蓋あるいは、該床下収納凹部内に収納された開閉蓋を備えた床下収納庫とで集合住宅を構成している。
【発明の効果】
【０００７】
以上の説明から明らかなように、本発明にあっては次に列挙する効果が得られる。
（１）請求項１により、バルコニーやベランダの出入口部の梁と接続される、該梁の室内側の床躯体に床下収納凹部を形成しているので、床下収納凹部を形成することによる床躯体の強度が低下するのを効率よく阻止することができる。    
（２）前記（１）により、床躯体に形成する床下収納凹部はバルコニーやベランダの出入口部の梁と接続される、該梁の室内側に形成しているので、階下の室内では床下収納凹部を形成した部位はバルコニーやベランダの出入口部の上部位置となり、これが梁状になるようにすれば室内空間が圧迫されたりすることなく、十分な強度のある建物に見せることができる。
（３）前記（１）により、バルコニーやベランダの出入口部の梁を利用して床下収納凹部を床躯体に形成するので、設置作業が容易で、低コストで設置することができる。
（４）請求項２も前記（１）〜（３）と同様な効果が得られるとともに、床下収納凹部の設置作業を容易に行なうことができる。
【図面の簡単な説明】
【０００８】
【図１】本発明を実施するための第１の形態の縦断面図。
【図２】図１の２−２線に沿う断面図。
【図３】本発明を実施するための第１の形態の要部断面図。
【図４】本発明を実施するための第１の形態の要部平面図。
【図５】本発明を実施するための第２の形態の縦断面図。
【図６】図５の６−６線に沿う断面図。
【図７】本発明を実施するための第２の形態の要部断面図。
【図８】本発明を実施するための第３の形態の縦断面図。
【図９】図８の９−９線に沿う断面図。
【図１０】本発明を実施するための第３の形態の正面図。
【発明を実施するための形態】
【０００９】
以下、図面に示す本発明を実施するための形態により、本発明を詳細に説明する。
【００１０】
図１ないし図４に示す本発明を実施するための第１の形態において、１は本発明の集合住宅で、この集合住宅１の各階の住戸２にはバルコニーやベランダ３の出入口部４には梁５が設けられている。
【００１１】
このバルコニーやベランダの出入口部４の梁５と接続される床躯体６には、該梁５の室内側に端部がアングル状に形成された床下収納凹部７が形成されている。
【００１２】
この床下収納凹部７が形成された部位は下部階ではバルコニーやベランダ３の出入口部４の上部で、梁が設けられた部位に見える所に配置され、室内空間が圧迫されることなく、かつ梁のように見えるので、十分な強度があるように見える。
【００１３】
前記床下収納凹部７にはそれぞれ床下収納庫８が収納され、該床下収納庫８の上部開口部９は床躯体６上に設置された床材１０の上面とほぼ同一面となる床下収納凹部７も覆う開閉蓋１１で開閉可能に覆われている。
【００１４】
なお、１２はバルコニーやベランダ３の住戸２、２間に設けられた避難用壁であり、１３は駐車場、駐輪場である。
【００１５】
上記構成の集合住宅１は、バルコニーやベランダ３の出入口部４に設けられた梁５を用いて床下収納凹部７を形成している床下収納装置１４を構成しているので、床下収納凹部７を容易に形成することができるとともに、床躯体６の強度を低下させることなく設置できる。
【００１６】
また、バルコニーやベランダ３の出入口部４の梁５の室内側の床躯体６に、該梁５を利用した床下収納凹部７を形成しているので、階下の室内からは該床下収納凹部７を形成した床躯体６を梁形状に形成することができ、階下の室内空間を圧迫することなく、それよりも丈夫な梁に見せることができる。    
【００１７】
[発明を実施するための異なる形態]
次に、図５ないし図１０に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１８】
図５ないし図７に示す本発明を実施するための第２の形態において、前記本発明を実施するための第１の形態と主に異なる点は、床下収納凹部７の内壁面に防水シート１５を固定するとともに、該床下収納凹部７の開口部７ａが床材１０の底面と隙間なく接続され、かつ該開口部７ａと対応する床材１０部位に開口１６を形成し、該開口１６に開閉可能で、上部が床材１０の上部とほぼ同一面となるヒンジ部材１７を用いた開閉蓋１８を取付けた点で、このように構成された床下収納装置１４Ａを用いた集合住宅１Ａにしても、前記本発明を実施するための第１の形態と同様な作用効果が得られる。
【００１９】
図８ないし図１０に示す本発明を実施するための第３の形態において、前記本発明を実施するための第１の形態と主に異なる点は、１階部分のバルコニーやベランダ３の下部空間１９およびバルコニーやベランダ３の手摺２０の前面の空間２１を収納スペース２２とする全戸数あるいは複数戸数のカギ２３付き開閉扉２４を備えた物置２５を設置した点で、このように物置２５を設置した集合住宅１Ｂにしても、前記本発明を実施するための第１の形態と同様な作用効果が得られる。
【産業上の利用可能性】
【００２０】
本発明は床躯体に床下収納装置を設ける集合住宅を建てる産業で利用される。
【符号の説明】
【００２１】
１、１Ａ、１Ｂ：集合住宅、  ２：住戸、
３：バルコニーやベランダ、  ４：出入口部、
５：梁、        ６：床躯体、
７：床下収納凹部、      ８：床下収納庫、
９：開口部、        １０：床材、
１１：開閉蓋、      １２：避難用壁、
１３：駐車場、駐輪場、    １４、１４Ａ：床下収納装置、
１５：防水シート、      １６：開口、
１７：ヒンジ部材、      １８：開閉蓋、
１９：下部空間、      ２０：手摺、
２１：空間、        ２２：収納スペース、
２３：カギ、        ２４：開閉扉、
２５：物置。
【図１】
2013019234.tif 000003
【図２】
2013019234.tif 000004
【図３】
2013019234.tif 000005
【図４】
2013019234.tif 000006
【図５】
2013019234.tif 000007
【図６】
2013019234.tif 000008
【図７】
2013019234.tif 000009
【図８】
2013019234.tif 000010
【図９】
2013019234.tif 000011
【図１０】
2013019234.tif 000012